(57)【要約】      （修正有）【課題】部屋等の利用対象の利用状況を利用場所で表示すると共に離れた場所でもリアルタイムで容易に確認可能とする利用状況管理システムを提供する。【解決手段】表示プレート装置１０は、利用対象となる部屋の外に設置され、切替え操作に基づき、空室を示す第１状態情報と使用中を示す第２状態情報を表示した表示プレート１８を表示窓１６に対し選択的に切替え表示し、表示窓１６に選択表示した空室又は使用中の状態とアドレスとを含む状態通知信号を特定小電力無線の通信プロトコルに従って送信する。表示プレート装置１０からの特定小電力通信プロトコルの状態通知信号は中継器１２で受信し、ＨＴＴＰの利用状態通知信号に変換して処理装置１６に送信する。処理装置１６は、中継器１２から受信したＨＴＴＰの状態通知信号に基づき、表示プレート装置１０で選択表示している空室又は使用中の利用状態を画面上に一覧表示する。【選択図】図１
0003191580.tif 000002
【実用新案登録請求の範囲】
【請求項１】
利用対象の場所又はその近傍に設置され、切替え操作に基づき、前記利用対象の状態を示す所定の第１状態情報と第２状態情報を表示した表示プレートを表示窓に対し選択的に切替え表示すると共に、前記表示窓に選択表示した前記第１状態情報又は第２状態情報に対応した状態と予め設定したアドレスとを含む状態通知信号を所定の第１通信プロトコルに従って送信する１又は複数の表示プレート装置と、
前記表示プレート装置から受信した前記第１通信プロトコルの前記状態通知信号を受信し、所定の第２通信プロトコルの状態通知信号に変換して送信する中継器と、
前記中継器から受信した前記第２通信プロトコルの前記状態通知信号に基づき、前記１又は複数の表示プレート装置で選択表示している第１状態情報又は第２状態情報に対応した状態を画面に表示する処理装置と、
を設けたことを特徴とする利用状況管理システム。
【請求項２】
請求項１記載の利用状況管理システムに於いて、
前記表示プレート装置は、
電池電源と、
前面に表示窓を形成した筐体と、
前記表示プレートを着脱自在に保持し、スライド操作により前記表示窓に前記表示プレートの第１状態情報を位置させる第１位置と前記表示窓に前記表示プレートの第２状態情報を位置させる第２位置との間で移動自在に設けたプレート支持部材と、
前記プレート支持部材を前記第１位置に移動した場合にオンすると共に前記第２位置に移動した場合にオフする第１スイッチと、
前記プレート支持部材を前記第２位置に移動した場合にオンすると共に前記第１位置に移動した場合にオフする第２スイッチと、
前記第１通信プロトコルに従った信号を送信する通信部と、
前記第１スイッチのオンを検知した場合に前記第１状態情報を示す状態通知信号を前記通信部により送信させ、前記第２スイッチのオンを検知した場合に前記第２状態情報を示す状態通知信号を前記通信部により送信させる制御部と、
を備えたことを特徴とする利用状況管理システム。
【請求項３】
請求項１又は２記載の利用状況管理システムに於いて、前記表示プレートを、前記第１状態情報と第２状態情報を印刷した着脱自在なカード部材としたことを特徴とする利用状況管理システム。
【請求項４】
請求項１記載の利用状況管理システムに於いて、
前記表示プレート装置は、前記状態通知信号を所定の周波数帯の特定小電力無線の通信プロトコルに従って送信し、
前記中継器は、前記表示プレート装置から受信した前記特定小電力無線の通信プロトコルの前記状態通知信号を、ＴＣＰ／ＩＰの状態通知信号に変換して伝送路に送信するか又は無線送信し、
前記処理装置は、前記中継器から受信した前記ＴＣＰ／ＩＰの前記状態通知信号に基づき、前記複数の表示プレート装置で選択表示している第１状態情報又は第２状態情報に対応した状態を画面に表示することを特徴とする利用状況管理システム。
【請求項５】
請求項１記載の利用状況管理システムに於いて、
前記表示プレート装置は、前記第１状態情報と第２状態情報として、利用者の在席状況、部屋等の利用区画の空き状況、部屋等の利用区画の準備状況、生産ラインの状況、在庫品の状況、担当者呼出等を前記表示プレートに表示し、前記表示プレートの切替え操作に基づき前記第１状態情報又は前記第２状態情報に対応した前記状態通知信号を送信することを特徴とする利用状況管理システム。
【考案の詳細な説明】
【技術分野】
【０００１】
本考案は、会議室や打ち合わせコーナー等の利用状況を遠隔的に確認可能とする利用状況管理システムに関する。
【背景技術】
【０００２】
従来、会議室や応接室などにあっては、部屋の出入口などに、例えば表面に「使用中」を表示し裏面に「空き」を表示した架け替え可能な表示プレートを設け、部屋を使用する場合には表示プレートを表にして「使用中」を表示し、部屋の使用を終えた場合には表示プレートを裏にして架け替えて「空き」を表示するといった使い方をしている。
【０００３】
また、部屋の出入口に電光表示装置を設け、部屋を使用する場合には、受付け等にいる担当者が制御装置を操作して該当する部屋の電光表示装置を例えば点灯して「使用中」を照明表示し、部屋の使用が終わった場合には制御装置の操作で電光表示装置を消灯して「使用中」の照明表示を停止するようにしている。
【０００４】
また、会社の寮などで在室を管理するため、外出と在室を操作する操作スイッチを各部屋に対応して設けた操作盤を玄関等に配置し、居住者が外出する際には操作盤の自分の部屋のスイッチを外出位置に操作すると管理人室等に設置した管理用表示盤に伝送ユニットを介して信号が送られて不在表示を行い、帰宅した際に操作盤のスイッチを在室位置に操作すると管理用制御盤に伝送ユニットを介して信号が送られて在室表示に切り替える在室管理システムも提案されている（特許文献１）。
【先行技術文献】
【特許文献】
【０００５】
【特許文献１】特開平５−０２８３８７号公報
【考案の概要】
【考案が解決しようとする課題】
【０００６】
しかしながら、表示プレートを部屋の利用状況に応じて表と裏に入れ替えて表示するものにあっては、簡単ではあるが、部屋の利用状況は、その場所に行って確認する必要があり、部屋の利用を管理している部署と利用者との間で十分に連絡をとっていないと、円滑な利用ができないといった問題がある。
【０００７】
また、従来の部屋の利用状況を部屋の外に設置した電光表示装置により知らせるものにあっても、部屋の利用状況はその場所に行ってみるか、部屋を管理している受付け等に連絡して確認する必要があり、また使用が終わって部屋を空けた場合には、利用者は受付けに出向いてその旨を連絡して電光表示装置を消灯してもらう必要もあり、これを忘れると使用していないにもかかわらず電光表示装置が使用中を表示し、利用管理が円滑にできない恐れがある。
【０００８】
また、寮のような多数の部屋の在室と不在の状況を管理用表示盤に表示する在室管理システムにあっては、管理対象となる部屋とは離れた場所に利用状況に応じて操作するスイッチを配列した操作盤を設けているため、会議室などの利用管理に適用した場合には、利用対象とする複数の会議室と操作盤のスイッチとの対応関係が不明確となって利用者は操作しにくいという問題がある。
【０００９】
本考案は、部屋等の利用対象の状況を利用場所で表示すると共に離れた場所であってもリアルタイムで簡単且つ容易に確認可能とする利用状況管理システムを提供することを目的とする。
【課題を解決するための手段】
【００１０】
（利用状況管理システム）
本発明は、利用状況管理システムであって、
利用対象の場所又はその近傍に設置され、切替え操作に基づき、利用対象の状態を示す所定の第１状態情報と第２状態情報を表示した表示プレートを表示窓に対し選択的に切替え表示すると共に、前記表示窓に選択表示した第１状態情報又は第２状態情報に対応した状態と予め設定したアドレスとを含む状態通知信号を所定の第１通信プロトコルに従って送信する複数の表示プレート装置と、
表示プレート装置から第１通信プロトコルの状態通知信号を受信し、所定の第２通信プロトコルの状態通知信号に変換して送信する中継器と、
中継器から受信した第２通信プロトコルの状態通知信号に基づき、複数の表示プレート装置で選択表示している第１状態情報又は第２状態情報に対応した状態を画面に表示する処理装置と、
を設けたことを特徴とする。
【００１１】
（表示プレート装置の詳細）
表示プレート装置は、
電池電源と、
前面に表示窓を形成した筐体と、
表示プレートを着脱自在に保持し、スライド操作により表示窓に表示プレートの第１状態情報を位置させる第１位置と表示窓に表示プレートの第２状態情報を位置させる第２位置との間で移動自在に設けたに移動自在なプレート支持部材と、
プレート支持部材を第１位置に移動した場合にオンすると共に第２位置に移動した場合にオフする第１スイッチと、
プレート支持部材を第２位置に移動した場合にオンすると共に第１位置に移動した場合にオフする第２スイッチと、
第１通信プロトコルに従った信号を送信する通信部と、
第１スイッチのオンを検知した場合に第１状態情報を示す状態通知信号を通信部により送信させ、第２スイッチのオンを検知した場合に第２状態情報を示す状態通知信号を通信部により送信させる制御部と、
を備える。
【００１２】
（表示プレートの詳細）
また、表示プレートを、第１状態情報と第２状態情報を印刷した着脱自在なカード部材とする。
【００１３】
（システムの通信プロトコル）
表示プレート装置は、状態通知信号を所定の周波数帯の特定小電力無線の通信プロトコルに従って無線送信し、
中継器は、表示プレート装置から受信した特定小電力無線の通信プロトコルの状態通知信号を、所定のＴＣＰ／ＩＰ（トランスミッション  コントロール  プロトコル／インターネット  プロトコル）の状態通知信号に変換して伝送路に送信するか又は無線送信し、
処理装置は、中継器から受信したＴＣＰ／ＩＰの状態通知信号に基づき、複数の表示プレート装置で選択表示している第１状態情報又は第２状態情報に対応した状態を画面に表示することを特徴とする。
【００１４】
（利用状況の詳細）
表示プレート装置は、第１状態情報と第２状態情報として、利用者の在席状況、部屋等の利用区画の空き状況、部屋等の利用区画の準備状況、生産ラインの状況、在庫品の状況、担当者呼出等を表示プレートに表示し、表示プレートの切替え操作に基づき第１状態情報状又は第２状態情報に対応した状態通知信号を送信する。
【考案の効果】
【００１５】
（基本的な効果）
本発明の利用状況管理システムにあっては、利用対象の場所又はその近傍に表示プレート装置を設置し、切替え操作に基づき、利用対象の状態を示す所定の第１状態情報と第２状態情報を表示した表示プレートを表示窓に対し選択的に切替え表示すると共に、表示窓に選択表示した第１状態情報又は第２状態情報に対応した状態と予め設定したアドレスとを含む状態通知信号を所定の第１通信プロトコルに従って送信し、この第１通信プロトコルの状態通知信号を中継器で受信して、所定の第２通信プロトコルの状態通知信号に変換して処理装置に送信し、処理装置で中継器から受信した第２通信プロトコルの状態通知信号に基づき、複数の表示プレート装置で選択表示している第１状態情報又は第２状態情報に対応した状態を画面に表示するようにしたため、例えば会議室や打ち合わせコーナ等に対応して設置している表示プレート装置の操作により、その利用状態、例えば使用中または空きを表示プレートにより選択的に切替え表示すると、切替え表示した使用中または空きを示す状態通知信号が中継器を介してパーソナルコンピュータやタブレット等の処理装置に送られて会議室等の利用状態が画面に表示され、パーソナルコンピュータやタブレット等の処理装置を使用して会議室等の利用対象の現在の状況をリアルタイムで把握することができ、例えば急な打ち合わせ等が必要な場合に、会議室の利用状況を確認し、空きがあれば管理部門に連絡して予約を取るといった対処が可能となり、不特定多数が利用する会議室等の利用対象を効率的に活用可能とする。
【００１６】
（表示プレート装置による効果）
表示プレート装置は、
電池電源、前面に表示窓を形成した筐体、表示プレートを着脱自在に保持し、スライド操作により表示窓に表示プレートの第１状態情報を位置させる第１位置と表示窓に表示プレートの第２状態情報を位置させる第２位置との間で移動自在に設けたプレート支持部材、プレート支持部材を第１位置に移動した場合にオンすると共に第２位置に移動した場合にオフする第１スイッチ、プレート支持部材を第２位置に移動した場合にオンすると共に第１位置に移動した場合にオフする第２スイッチ、第１通信プロトコルに従った信号を送信する通信部、及び第１スイッチのオンを検知した場合に第１状態情報を示す状態通知信号を通信部により送信させ、第２スイッチのオンを検知した場合に第２状態情報を示す状態通知信号を通信部により送信させる制御部で構成し、表示プレートを第１状態情報と第２状態情報を印刷した着脱自在なカード部材としたため、商用電源を必要せず、小形軽量とすることで据え付けや壁掛けが簡単にでき、また、表示プレートは利用対象に対応して必要な第１状態と第２状態を印刷した着脱自在なカード部材であることから、利用対象に応じて表示プレートを簡単に取り換えて使用することを可能とする。
【００１７】
（システムの通信プロトコルのよる効果）
また、表示プレート装置は、状態通知信号を所定の周波数帯の特定小電力無線の通信プロトコルに従って無線送信し、中継器は、表示プレート装置から受信した特定小電力通信プロトコルの状態通知信号を、ＴＣＰ／ＩＰの状態通知信号に変換して伝送路に送信するか又は無線送信し、処理装置は、中継器から受信したハイパーテキスト・トランスファー・プロトコルの状態通知信号に基づき、複数の表示プレート装置で選択表示している第１状態情報又は第２状態情報に対応した状態を画面に表示するようにしたため、表示プレート装置による特定小電力無線の通信プロトコルに従った通信エリアに中継器を設置して例えば施設内のローカルエリアネットワーク（ＬＡＮ）に接続しておくことで、ローカルエリアネットワーク上のパーソナルコンピュータ等の処理装置に対し中継器からＴＣＰ／ＩＰによる状態通知信号を送って、利用状況を簡単に確認可能とする。
【００１８】
（利用状況による効果）
また、表示プレート装置は、第１状態情報と第２状態情報として、利用者の在席状況、部屋等の利用区画の空き状況、部屋等の利用区画の準備状況、生産ラインの状況、在庫品の状況、担当者呼出等を表示プレートに表示し、表示プレートの切替え操作に基づき第１状態情報状又は第２状態情報に対応した状態通知信号を送信するようにしたため、利用者の在席状況であれば在席か離席かを表示し、部屋等の利用状況であれば使用中か空きかを表示し、部屋等の準備状況であれば使用可か準備中かを表示し、生産ラインの状況であれは正常かトラブル発生かを表示し、在庫品であれば在庫か品切れかを表示し、担当者呼出しであれば待機中か呼出しかを表示するといったように、利用対象に応じてその利用状態を適確に示す表示を行って利用状況を知らせることを可能とする。
【図面の簡単な説明】
【００１９】
【図１】本考案による利用状況管理システムの概略を示した説明図
【図２】図１の処理装置による画面表示の例を示した説明図
【図３】図１のシステム構成機器の機能構成を示したブロック図
【図４】表示プレート装置の外観を示した説明図
【図５】表示プレート装置を前方から見て示した組立分解図
【図６】表示プレート装置を後方から見て示した組立分解図
【図７】表示プレートを上に移動して第１状態表示を行った場合のスイッチ動作を示した説明図
【図８】表示プレートを下に移動して第２状態表示を行った場合のスイッチ動作を示した説明図
【考案を実施するための形態】
【００２０】
［利用状況管理システムの概要］
図１は本考案による利用状況管理システムの概略を示した説明図、図２は表示プレート装置の外観を示した説明図、図３は図１の処理装置による画面表示の例を示した説明図である。
【００２１】
図１に示すように、本考案による利用状況管理システムは、事業所施設やオフィスビル等における役員の在室状況、応接や打ち合わせのための施設利用状況の管理を例にとると、役員室及び応接室の室外や打合せコーナーの出入口等の所定箇所に表示プレート装置１０を壁掛け等により設置している。
【００２２】
表示プレート装置１０は、図２に示すように、表ケース１１ａと裏ケース１１ｂで構成したケースの前面にアクリル透明カバーを備えた表示窓１６を形成し、操作ノブ２０の上下方向のスライド操作により移動する表示プレート１８をケース内に収納しており、表示窓１６には操作ノブ２０を下側に操作した状態で、表示プレート１８の上側に印刷表示している利用対象の状態、例えば応接室の状態を示す第１状態情報として「空室」を選択的に切替え表示している。
【００２３】
表示プレート１８のケース１１内に隠れた下側には、利用対象の他の状態を示す所定の第２状態情報として、応接室の使用を示す「使用中」を表示しており、操作ノブ２０を上部に操作すると、これに伴い表示プレート１８も上側に移動し、表示窓１６の中に「使用中」を切替え表示可能としている。
【００２４】
また表示プレート装置１０は電池電源で動作しており、ＬＥＤを用いた電源灯５６の点灯により動作状態にあることを表示している。
【００２５】
再び図１を参照するに、この例では３台の表示プレート装置１０を例示しており、上部に示す１台の表示プレート装置１０は、操作ノブ２０を下側に切替え操作することで、表示プレート１８の上側に印刷した「空室」を表示窓１６の中に表示している。また、中央及びその下に示す２台の表示プレート装置１０は、操作ノブ２０を上側に切替え操作することで、表示プレート１８の下側に印刷した「使用中」を表示窓１６の中に表示している。
【００２６】
表示プレート装置１０は、操作ノブ２０の切替え操作により表示プレート１８をスライドして表示窓１６の表示を切り替えた場合、表示窓１６に選択表示した第１状態情報となる「空室」又は第２状態情報となる「使用中」に対応した所定形式の状態通知信号を生成し、この状態通知信号を、所定の第１通信プロトコル、例えば４２６ＭＨｚ帯を使用した特定小電力無線局の標準規格を準拠した通信プロトコル（以下「特定小電力通信プロトコル」という場合がある）に従って送信する。
【００２７】
表示プレート装置１０から送信する状態通知信号の信号形式は、同期コード、表示プレート装置１０のアドレスを示す送信元、中継器１２のアドレスを示す宛先、利用状況を示す状態情報、エラーチェックコード等を含む所定形式とする。
【００２８】
表示プレート装置１０の特定小電力無線による通信エリアには中継器１２を設置しており、中継器１２は例えばローカルエリアネットワーク（ＬＡＮ）に設けたＬＡＮ回線１５に接続している。ＬＡＮ回線１５にはパーソナルコンピュータ等を用いた処理装置１４を接続している。
【００２９】
中継器１２は、表示プレート装置１０が送信した特定小電力通信プロトコルの状態通知信号を受信し、これを所定の第２通信プロトコル、例えばＴＣＰ／ＩＰ（トランスミッション  コントロール  プロトコル／インターネット  プロトコル）の状態通知信号に変換して処理装置１４に送信する。
【００３０】
このＴＣＰ／ＩＰにあっては、中継装置１２は表示プレート装置１０から受信した状態通知信号に基づき、トランスポート層（ＴＰＣ層）の処理により中継器自身の発信元ポート番号、処理装置１４の制御部を指定する送信先ポート番号を含むヘッダ部と、表示プレート装置１０のアドレス及び状態情報を含むデータ部からなるパケット信号を生成し、続いて、インターネット層（ＩＰ層）の処理により、中継器自身の発信元ＩＰアドレスと処理装置１４の送信先ＩＰアドレスを含むプロトコルヘッダを配置し、これをＴＣＰ／ＩＰにより変換した状態通知信号として処理装置１４に送信する。
【００３１】
処理装置１４は、中継器１２から受信したＴＣＰ／ＩＰの状態通知信号を受信し、インターネット層及びトランスポート層の処理により、表示プレート装置１０のアドレスとそこで選択表示している第１状態情報を示す「空室」又は第２状態情報を示す「使用中」を取出し、利用対象の状態を画面に表示する。
【００３２】
処理装置１０の画面表示としては、利用対象となる例えば社長室、副社長室、専務室、常務室、第１応接室、第２応接室、打合せコーナー１〜４、男子用トイレ及び女子用トイレの各々に表示プレート装置１０を設置したとすると、図３に示すように、液晶ディスプレイ等を用いた表示部４８の表示画面上に、「在室状況・施設利用状況」をタイトルとして、状態一覧表示５２を例えばリスト形式で表示する。
【００３３】
ここで役員室の利用状況は「離席中」または「在席」であり、それ以外の施設は「空き」または「使用中」としている。
【００３４】
このように本考案の利用状況管理システムは、例えば応接室等の利用対象に対応して設置している表示プレート装置１０の操作により、その利用状態、例えば「空室」または「使用中」を表示プレート装置１０により選択的に切替え表示すると、切替え表示した「空室」または「使用中」を示す状態通知信号を表示プレート装置１０から中継器１２を介して処理装置１４に送って利用状態を画面表示することで、応接室等の利用対象の現在の状況をリアルタイムで把握することができ、例えば急な打ち合わせ等が必要な場合に、会議室の利用状況を確認し、空きがあれば管理部門に連絡して予約を取るといった対処が可能となり、不特定多数が利用する会議室等の利用対象を効率的に活用可能とする。
【００３５】
［利用状況管理システムの機能構成］
図４は図１のシステム構成機器の機能構成を示したブロック図である。
【００３６】
（表示プレート装置の機能構成）
図４に示すように、表示プレート装置１０は、第１スイッチ３２、第２スイッチ３４、制御部２８及びアンテナ３６を接続した無線通信部３０を備え、図示しない電池電源により動作する。
【００３７】
第１スイッチ３２は、図１及び図２に示したように、操作ノブ２０により表示窓１６に表示プレート１８の第１状態情報を示す「空室」を表示させる第１位置に移動した場合にオンし、操作ノブ２０により表示窓１６に表示プレート１８の第２状態情報を示す「使用中」を表示させる第２位置に移動した場合にオフする。
【００３８】
第２スイッチ３４は、第１スイッチ３２とは逆に、操作ノブ２０により表示窓１６に表示プレート１８の第２状態情報を示す「使用中」を表示させる第２位置に移動した場合にオンし、操作ノブ２０により表示窓１６に表示プレート１８の第１状態情報を示す「空室」を表示させる第１位置に移動した場合にオフする。
【００３９】
制御部２８は、第１スイッチ３２のオンを検知した場合に、第１状態情報となる「空室」を含む前述した所定形式の状態通知信号を生成し、通信部３０に指示して送信させ、また、第２スイッチ３４のオンを検知した場合に第２状態情報となる「使用中」を含む所定形式の状態通知信号を通信部３０に指示して送信させる制御を行う。
【００４０】
無線通信部３０はアンテナ３６を接続しており、制御部２８の指示に基づき、制御部２８で生成した状態通知信号を、所定の第１通信プロトコル従って送信する。
【００４１】
無線通信部３０による第１通信プロトコルは、例えば４２６ＭＨｚ帯の特定小電力無線局の標準規格として知られたＳＴＤ−３０（小電力セキュリティ無線局の無線設備標準規格）に従って無線信号を送受信する。
【００４２】
ＳＴＤ−３０は空中線電力が１Ｗ以下であり、４２６．２５０ＭＨｚ以上で４２６．８３７５ＭＨｚ以下の周波数の電波を使用する場合はキャリアセンスが義務づけられていないことから、この周波数の電波を使用することで、キャリアセンスを行うことなく無線送信を行っている。なお、キャリアセンスとは、無線送信を行う際に、他局が送信した同一の搬送周波数の電波の受信レベルを検知し、この受信レベルが所定閾値以上である場合には無線送信を行わず、受信レベルが所定閾値未満の場合に無線送信を行い、同一の搬送周波数の電波の衝突を回避することをいう。
【００４３】
また、ＳＴＤ−３０では、キャリアセンスが義務づけられていないことに伴い、電波を発射してから３秒以内にその電波の発射を停止し、且つ、２秒を経過した後でなければその後の発射を行わないことが義務付けられている。
【００４４】
なお、通信部３６による第１通信プロトコルとしては、これ以外に９２０ＭＨｚ帯を使用した特定小電力無線局の標準規格に従った通信プロトコルとしても良い。
【００４５】
（中継器の機能構成）
中継器１２は、アンテナ４４を接続した無線通信部３８、制御部４０及び有線通信部４２を備える。
【００４６】
無線通信部３８は、表示プレート装置１０の無線通信部３０の場合と同様、第１通信プロトコルとして、４２６ＭＨｚ帯の特定小電力無線局の標準規格として知られたＳＴＤ−３０に基づき無線信号を送受信する。
【００４７】
制御部４０は、ＣＰＵ、各種入力ポート、メモリ等を備えたコンピュータ回路で構成し、プログラムの実行により、無線通信部３８で第１通信プロトコルとなる特定小電力通信プロトコルに基づいて受信した状態通知信号から、表示プレート装置のアドレスと利用状態を示すＴＣＰ／ＩＰの状態通知信号（パケット信号）を生成し、これを有線通信部４２に指示してＬＡＮ回線１５を介して処理装置１４へ送信させる制御を行う。
【００４８】
有線通信部１５は制御部４０から指示された状態通知信号（パケット信号）を例えばイーサネット（登録商標）のＬＡＮ通信プロトコルに従って処理装置１４へ送信する。
【００４９】
（処理装置の機能構成）
処理装置１４は、ＬＡＮ回線１５を接続した有線通信部４５、ＣＰＵ、各種入力ポート、メモリ等を備えたコンピュータ回路によるプログラムの実行で実現される制御部４６、液晶ディスプレイ等を用いた表示部４８、キーボード、マウス等の入力操作機器を備えた操作部５０で構成し、市販のパーソナルコンピュータを使用する。
【００５０】
有線通信部４５は中継器１２を含む外部機器との間で例えばイーサネット（登録商標）のＬＡＮ通信プロトコルに従って各種の信号を送受信する。
【００５１】
制御部４６はパーソナルコンピュータのＯＳ上で動作する本考案の処理装置１４としての機能を実現するアプリケーションプログラムにより実現され、有線通信部４４を介して中継器１２からのＴＣＰ／ＩＰの状態通知信号を受信し、インターネット層及びトランスポート層の処理を経て、表示プレート装置１０のアドレスを取り出して利用対象となる役員室や応接室等を判別し、また状態情報を取り出して空室または使用中を判別し、利用対象の状態を示す一覧表示データを生成し、表示部４８に指示して例えば図３に示したように、状態一覧表示５２を行って利用状況を知らせる制御を行う。
【００５２】
［表示プレート装置の構成］
図５は表示プレート装置を前方から見て示した組立分解図、図６は表示プレート装置を後方から見て示した組立分解図である。
【００５３】
（表示プレート装置の構造）
図５及び図６に示すように、表ケース１１ａの略中央には横長矩形の表示窓１６を開口し、表示窓１６の前には透明カバー１７を装着して閉鎖している。表ケース１１ａの内側には上下方向に一対の固定レール７６ｂを形成している。また表ケース１１ａの向かって右側には操作ノブ２０を取り出すスライド穴５４を形成し、その上にＬＥＤを用いた電源灯５６を配置する表示穴５５を形成している。
【００５４】
裏ケース１１ｂの下部には外側に開口して電池収納部６５を形成し、その中に２本の電池６６を収納して電池カバー６４を装着している。裏ケース１１ｂの内側には上下方向に一対の固定レール８０ｂを形成している。裏ケース１１ｂの上部２か所にはダルマ穴８４を形成し、壁掛けを可能とする。
【００５５】
裏ケース１１ｂの内側には回路基板６０をビス止め固定しており、回路基板６０の表側下部には第１スイッチ３２と第２スイッチ３４を横に並べて配置している。第１スイッチ３２及び第２スイッチ３４はスイッチノブを突出しており、スイッチノブを押し込むとオンする。回路基板６０には更に図４に示した制御部２８及びアンテナ３６を接続した無線通信部３０を構成するＩＣチップや回路部品を実装している。
【００５６】
表ケース１１ａと裏ケース１１ｂの間にはプレート保持部材５８を上下方向に移動自在に配置している。プレート保持部材５８は前面下部のガイド部７０に横方向から挿入した表示プレート１８を保持可能とし、左側前面に操作ノブ２０を突出形成している。
【００５７】
裏ケース１１ｂの向かって左側には、プレート保持部材５８に表示プレート１８を出し入れする開口部があり、ここにプレートカバー６２を着脱自在に設け、プレートカバー６２を外して表示プレート１８の装着や交換を可能とする。
【００５８】
表示プレート１８としては厚手のカード用紙（カード部材）に、第１状態情報２２として「空室」を上側に印刷表示し、その下に、第２状態情報２４として「使用中」を印刷表示している。このため表示プレート１８として使用するカード用紙に、設置する利用対象の状況を示す第１状態情報２２と第２状態情報２４を印刷して準備しておき、ガード用紙を交換することで、適宜の利用対象に対応した表示プレート装置１０とすることを可能とする。
【００５９】
プレート保持部材５８の前面には表ケース１１ａの固定レール７６ｂに嵌合して上下に移動可能とする案内レール７６ａを形成している。なお、プレート保持部材５８の向かって左側の案内レール７６ａは、表示プレート１８をガイド部７０に差し込み可能とするために、上端と下端の部分だけを形成している。また、プレート保持部材５８の裏面には裏ケース１１ｂの一対の固定レール８０ｂに嵌合して上下移動可能とする一対の案内レール８０ａを形成している。
【００６０】
プレート保持部材５８の回路基板６０に設けた第１スイッチ３２と第２スイッチ３４に相対した位置には、第１スイッチ片７２と第２スイッチ片７４を、固定端を除く部分を矩形に切り抜いた片持ち支持構造として設けている。
【００６１】
（スイッチ作動構造）
図７は表示プレートを上方に移動して第１状態表示を行った場合のスイッチ動作を示した説明図及び図８は表示プレートを下方に移動して第２状態表示を行った場合のスイッチ動作を示した説明図であり、それぞれ（Ａ）に裏ケース側に移動自在に配置したケース保持部材を示し、（Ｂ）に（Ａ）のＸ−Ｘ断面を示し、（Ｃ）に（Ａ）のＹ−Ｙ断面を示している。
【００６２】
図７（Ａ）及び図８（Ａ）に示すように、プレート保持部材５８の両側端の中央には嵌合突起８６を形成し、また、嵌合突起８６の内側には上下方向にスリット開口９２を形成し、嵌合突起８６を形成した両側をバネ性を持った支持構造とし、嵌合突起８６を裏ケース１１ｂの両端内側に押圧している。
【００６３】
裏ケース１１ｂの両端内側には所定間隔を隔てて第１嵌合穴８８と第２嵌合穴９０を形成している。プレート保持部材５８の嵌合突起８６が図７（Ａ）に示すように第１嵌合穴８８に嵌合する下側の第１位置に移動すると、図２に示すように、表示窓１６の中に表示プレート１８の上側に印刷した第１状態情報２２となる「空室」を表示する。
【００６４】
また、プレート保持部材５８の嵌合突起８６が図８（Ａ）に示すように第２嵌合穴９０に嵌合する上側の第２位置に移動すると、図５に示すように、表示窓１６の中に表示プレート１８の下側に印刷した第２状態情報２４となる「使用中」を表示する。
【００６５】
図７（Ａ）に示すように、操作ノブ２０によりプレート保持部材５８を下側の第１位置に移動し、図２に示すように、表示窓１６の中に表示プレート１８の上側に印刷した第１状態情報２２となる「空室」を表示した場合、下側を固定し両側及び上側を切り抜きにより浮動して片持ち支持とした第１スイッチ片７２は、図７（Ｂ）に示すように、回路基板６０に配置した第１スイッチ３２のスイッチノブを押し込んでオンとする。
【００６６】
この場合、上側を固定し両側及び下側を切り抜きにより浮動して片持ち支持とした第２スイッチ片７４は、図７（Ｃ）に示すように、回路基板６０に配置した第２スイッチ３４のスイッチノブから離れてオフとする。
【００６７】
また図８（Ａ）に示すように、操作ノブ２０によりプレート保持部材５８を上側の第２位置に移動し、図５に示す表示プレート１８の下側に印刷した第２状態情報２４となる「使用中」を表示窓１６の中に表示した場合、第２スイッチ片７４は、図８（Ｃ）に示すように、回路基板６０に配置した第２スイッチ３４のスイッチノブを押し込んでオンとする。この場合、第１スイッチ片７２は、図８（Ｂ）に示すように、回路基板６０に配置した第１スイッチ３２のスイッチノブから離れてオフとする。
【００６８】
このように操作ノブ２０のスライド操作によりプレート保持部材５８を移動して表示窓１６の中に第１状態情報として「空室」を表示すると第１スイッチ３２がオンし、第１状態情報として空室を示す状態通知信号を、中継器１２を介して処理装置１４に送信して対応する応接室等の利用対象が空室にあることを画面表示する。
【００６９】
また、操作ノブ２０のスライド操作によるプレート保持部材５８を移動して表示窓１６の中に第２状態情報として「使用中」を表示すると第２スイッチ３４がオンし、第２状態情報として使用中を示す状態通知信号を、中継器１２を介して処理装置１４に送信して対応する応接室等の利用対象が使用中にあることを画面表示する。
【００７０】
なお、図６乃至図８に示した表示プレート装置１０の構造は一例であり、必要に応じて適宜の構造とすることができる。
【００７１】
［本考案の変形例］
（利用状況に対応した状態表示）
上記の実施形態は、利用対象として役員室、応接室、打合せコーナー、共同トイレ等を利用対象とした利用状況管理システムを例にとっているが、これ以外に、工場生産ラインでの部品供給、工場生産ラインのトラブル呼出し、倉庫の棚や商品陳列棚などでの在庫切れ表示、携帯電話の話し中などの取り込み中の状況、スーパーや飲食店などでの個室の準備状況、病院や介護施設などでの看護師や介護師の呼出しといった様々な利用対象の状況の管理に適用できる。
【００７２】
この場合、表示プレート装置及び処理装置に表示する第１状態情報と第２状態情報としては、例えば、工場生産ラインでの部品供給では正常か品切れかを表示し、工場生産ラインのトラブル呼出しでは正常かトラブルかを表示し、倉庫の棚や商品陳列棚などでの在庫切れ表示では正常から品切れかを表示し、携帯電話の話し中などの取り込み中の状況では待機中か取込み中かを表示し、スーパーや飲食店などでの個室の準備状況では準備中か準備完了を表示し、病院や介護施設なででの看護師や介護師の呼出しでは待機中か呼出中かを表示する。
【００７３】
（利用状況に対応した単一の状態表示）
また、上記の実施形態にあっては、利用対象の状況を例えば応接室については空室と使用中の２つの状態を切替え表示しているが、何れか一方の状態、例えば空室のみ又は使用中のみを表示しても良い。
【００７４】
（携帯型処理装置）
上記の実施形態は、処理装置としてＬＡＮ回線に接続したパーソナルコンピュータを例にとっているが、図４に示した中継器１２の有線通信部４２に代えて例えば無線ＬＡＮ通信部を設け、表示プレート装置１０から受信した状態通知信号を中継器１２でＨＴＴＰプロトコルの無線信号に変換して送信し、その通信エリアに存在するタブレット端末等の携帯型処理装置で受信して利用状態を画面表示するようにしても良い。
【００７５】
（ＨＴＴＰ）
上記の実施携帯では中継器１２と処理装置１４の通信にＴＣＰ／ＩＰを使用しているが、これに代えてハイパーテキスト・トランスファー・プロトコル（以下「ＨＴＴＰ」という）を使用しても良い。
【００７６】
この場合、中継器１２は、表示プレート装置１０が送信した特定小電力通信プロトコルの状態通知信号を受信し、これをリクエスト−レスポンス型のプロトコルとして知られたＨＴＴＰの状態通知信号に変換して処理装置１４に送信する。
【００７７】
このＨＴＴＰにあっては、中継器１２がクライアントとして機能し、処理装置１４がサーバとして機能し、中継装置１２は表示プレート装置１２から受信した状態通知信号に基づき、表示プレート装置１０を特定するアドレスと利用状態を示す状態情報をデータ部に含むパケット形式のリクエスト・メッセージを生成し、これをＨＴＴＰに変換した状態通知信号として処理装置１４に通知する。
【００７８】
処理装置１４は、中継器１２から受信したＨＴＴＰの状態通知信号（リクエスト・メッセージ）に基づき、表示プレート装置１０で選択表示している第１状態情報を示す「空室」又は第２状態情報を示す「使用中」に対応した状態を画面に表示する。
【００７９】
（その他）
また、本考案は上記の実施形態に限定されず、その目的と利点を損なうことのない適宜の変形を含み、更に上記の実施形態に示した数値による限定は受けない。
【符号の説明】
【００８０】
１０：表示プレート装置
１２：中継器
１４：処理装置
１５：ＬＡＮ回線
１６：表示窓
１８：表示プレート
２０：操作ノブ
２２：第１状態情報
２４：第２状態情報
２８，４０，４６：制御部
３０，３８：無線通信部
３２：第１スイッチ
３４：第２スイッチ
４２，４５：有線通信部
４８：表示部
５２：状態一覧表示
５８：プレート保持部材
６０：回路基板
６６：電池
７２：第１スイッチ片
７４：第２スイッチ片
【図１】
0003191580.tif 000003
【図２】
0003191580.tif 000004
【図３】
0003191580.tif 000005
【図４】
0003191580.tif 000006
【図５】
0003191580.tif 000007
【図６】
0003191580.tif 000008
【図７】
0003191580.tif 000009
【図８】
0003191580.tif 000010